(57)【要約】【課題】  本発明は高層ビルのテナントの内装改修工事期間において、スプリンクラーヘッドの破損事故のおそれがなく事故に伴う現場の出水及び配管連通域全体の水圧低下又は空配管となるおそれがなく上記工事期間において全館のスプリンクラー配管水を安全に保持することのできるスプリンクラーヘッド養生装置を得ることを目的とする。【解決手段】  スプリンクラーヘッド１を包被する盲キャップ２の開口端２’から複数のスリット３を形成し、円筒壁２”の外周面締付用ウォームギアバンド５及び該バンド５の重合部６にウォームギア５’に噛合するウォーム７及びウォームホールダー８を備え、上記盲キャップ２の円筒壁２”及び底板２ａが硬化合成樹脂による厚めの一体成形体であり、上記スリット３の幅が上記バンド５の締付けにより縮小して上記基部フランジ４の外周に上記円筒壁２”の内周を締付け得る程度であることを特徴とするスプリンクラーヘッド養生装置。【選択図】  図１
2006192060.tif 000002
【特許請求の範囲】
【請求項１】
スプリンクラーヘッドを包被する盲キャップの開口端から円筒壁の中程に向う複数のスリットを形成し、
開口端内周径がスプリンクラーヘッドの基部フランジの外周径より大に形成され、
上記円筒壁の外周面締付用ウォームギアバンド及び該バンドの重合部にウォームギアに噛合するウォーム及びウォームホールダーを備え、
上記盲キャップの円筒壁及び底板が硬化合成樹脂による厚めの一体成形体であり、上記スリットの幅が上記バンドの締付けにより縮小して上記基部フランジの外周に上記円筒壁の内周を締付け得る程度であることを特徴とするスプリンクラーヘッド養生装置。
【請求項２】
上記盲キャップの外面を赤色に塗装した請求項１記載のスプリンクラーヘッド養生装置。
【請求項３】
上記開口端から上記円筒壁内周を切削拡径し、拡径部をスプリンクラーヘッド保護カバーの基端部フランジの外周に挿入可能に形成した請求項１又は２記載のスプリンクラーヘッド養生装置。
【発明の詳細な説明】
【技術分野】
【０００１】
本発明は高層ビルにおいて内装改修工事期間において、スプリンクラーヘッドの損傷事故を防止し、多量の水抜きを行うことなく上記改修工事を行うスプリンクラーヘッド養生装置に関するものである。
【背景技術】
【０００２】
百貨店や複合商業ビルでは、毎年必ず定期的にテナント改修（内装改修）が行われる。
【０００３】
改修工事期間はスプリンクラーヘッドの損傷事故を防ぐため、ヘッドを取外し、短管プラグで取外し部分を閉栓する必要があった。
【０００４】
そのため改修工事期間は改修工事領域の配管内の圧力水を抜いておく必要を生じ、多量の水を排水していた。
【０００５】
上記改修工事期間にスプリンクラーヘッドをそのまま養生しておくと該ヘッドが上記改修作業に触れて破損し易く、破損すると放水事故により改修工事現場が水浸しとなり改修工事が不能となるばかりでなく、改修工事現場に連通している配管域内の配管内圧力水は放出され、改修工事現場の配管連通域全体の配管内水圧低下又は空となるという問題があった。
【０００６】
従来、スプリンクラーヘッドカバーにおいて、火災発生からカバープレートが落下するまでの時間を短縮可能なスプリンクラーヘッドカバー（例えば特許文献１，２）及び経年変化によってカバーが落下する危険性が出てくるため、これを防止するためカバーが落下しにくい構造のスプリンクラーヘッドカバー（例えば特許文献３，４，５）が開発されているが何れも機械的強度が弱いし、上記改修工事現場において上記ヘッドカバーが破損され易く、破損による放水又は出水による上述の問題を避けることができなかった。
【０００７】
【特許文献１】特開２００３−２０５０４９
【特許文献２】特開２００３−３２５６９５
【特許文献３】特開２００３−２１０６０６
【特許文献４】特開２００３−２２５３２１
【特許文献５】特開２００３−１５４０２４
【発明の開示】
【発明が解決しようとする課題】
【０００８】
本発明は高層ビルのテナントの内装改修工事期間において、スプリンクラーヘッドの破損事故のおそれがなく事故に伴う現場の出水及び配管連通域全体の水圧低下又は空配管となるおそれがなく上記工事期間において全館のスプリンクラー配管水を安全に保持することのできるスプリンクラーヘッド養生装置を得ることを目的とする。
【課題を解決するための手段】
【０００９】
上記の目的を達成するため本発明は
第１にスプリンクラーヘッドを包被する盲キャップの開口端から円筒壁の中程に向う複数のスリットを形成し、開口端内周径がスプリンクラーヘッドの基部フランジの外周径より大に形成され、上記円筒壁の外周面締付用ウォームギアバンド及び該バンドの重合部にウォームギアに噛合するウォーム及びウォームホールダーを備え、上記盲キャップの円筒壁及び底板が硬化合成樹脂による厚めの一体成形体であり、上記スリットの幅が上記バンドの締付けにより縮小して上記基部フランジの外周に上記円筒壁の内周を締付け得る程度であることを特徴とするスプリンクラーヘッド養生装置、
第２に上記盲キャップの外面を赤色に塗装した上記第１発明記載のスプリンクラーヘッド養生装置、
第３に上記開口端から上記円筒壁内周を切削拡径し、拡径部をスプリンクラーヘッド保護カバーの基端部フランジの外周に挿入可能に形成した上記第１又は第２発明記載のスプリンクラーヘッド養生装置、
によって構成される。
【００１０】
従って内装を改修しようとする建築物の天井に配設されているスプリンクラーヘッド又は該ヘッドの保護カバーの基部フランジの外周に盲キャップの開口部の内周を挿入すると、上記スプリンクラーヘッド又は上記保護カバーは盲キャップ内に包被される。
【００１１】
その状態において上記バンドを円筒壁の外周面に嵌合し、バンドの重合部のウォームホールダー内のウォームギアを一方に回動することによって円筒壁の内周面は上記フランジの外周面に堅く締付けられ、天井既設のスプリンクラーヘッドは盲キャップによって包被される。
【００１２】
そして内装工事に際し、天井スプリンクラーヘッドを内部に圧力水を保有したまま盲キャップ内に養生することができる。
【発明の効果】
【００１３】
従って安全に内装工事を行い得るばかりでなく工事域内の圧力水管から圧力水を抜去する必要がないし、工事現場においてスプリンクラーヘッドが外力から盲キャップで保護され機械的変形破損による不慮の放水が止められる効果がある。
【発明を実施するための最良の形態】
【００１４】
従来は、上下端を開口してなる本体の１０の上部外周には雄螺子１０’が形成され、下部に該雄螺子１０’より径の大きいフランジ４を同一中心線ｃ上に本体１０と一体に形成する。
【００１５】
上記フランジ４の下面には該フランジ４より径の小さいスプリンクラーヘッド１の上端を固定し、スプリンクラーヘッド１の下端に低融点合金によるヒートコレクター１’，１’を露出し、
ヒートコレクター１’が火災による温度上昇によって溶融し、それによってスプリンクラーヘッド１内の止水弁が開き早期に上記本体１０内及び工事域に接続する域内配管内の多量の圧力水が下方に拡散するようになっている（図１）。
【００１６】
上記フランジ４には上記ヒートコレクター１’，１’を露出したスプリンクラーヘッド１の保護カバー９の上端フランジ９’を嵌合して該スプリンクラーヘッド１の衝撃等による変形破損による不慮の放水を防止していた（図２）。
【００１７】
本発明では上記スプリンクラーヘッド１の変形破損を防止するため該ヘッド１を包被する盲キャップ２を用いる。
【００１８】
この盲キャップ２は塩化ビニル等の熱可塑性硬化合成樹脂によるコップ状のキャップである。上記盲キャップ２にはポリエステル樹脂などによる熱硬化性のものであっても差支えない。
【００１９】
しかし機械的強度を大にするため図示するように円筒壁２”及び底板２ａの厚さが厚めに一体形成された硬化合成樹脂であって、円筒壁２”に開口端２’から中程に至る複数（３〜４個）の比較的広幅のスリット３を形成する（図３（イ）図）。
【００２０】
上記開口端２’の内周径Ｄは上記本体１０の下端に設けたフランジ４の外周径より大であり、開口端２’を該フランジ４に容易に挿入することができる。
【００２１】
上記挿入によって上記フランジ４の下面に設けられているスプリンクラーヘッド１はヒートコレクター１’，１’を含めて盲キャップ２内に全部収容され、かつ該盲キャップ２によって全部包被される。
【００２２】
上記包皮状態において、円筒壁２”の外周面にはウォームギアバンド５が締付けられ、その締付け力によって円筒壁２”の内周面が上記フランジ４の外周面に強く一体的に締付けられる。
【００２３】
上記バンド５の外周にはウォームギア５ａが刻設され、該バンド５の重合部６の一方５’（内側）にウォームホールダー８を固定し、重合部６の他方の５”（外側）を該ホールダー８に挿入し、該ホールダー８内に保持したウォーム７を重合部６の他方５”に刻設したウォームギア５ａに噛合させ、ウォーム７の露出端に−又は＋ネジ頭１１を突出する。
【００２４】
上記ネジ頭１１を正回動させてウォーム７を正回動させてウォームギアバンド５を縮小摺動させることができ、それによって円筒壁２”の内周を縮径し、内周面を上記基部フランジ４に直接又は保護カバー９の上端フランジ９’を介して上記フランジ４の外周面に圧着し、盲キャップ２で上記スプリンクラーヘッド１を包被することができる。
【００２５】
上記盲キャップ２は図１、図２及び図３（イ）図に示すように厚めの一体形成コップ状体であれば足り、上記スリット３の幅は上述のように上記バンド５によって締付けることによって縮小して基部フランジ４の外周に円筒壁２”の内周が締付固定される程度であればよい。
【００２６】
尚、円筒壁２”の内周２ｂは図２に示すように旋盤加工によって切削拡径して上記保護カバー９の基端部フランジ９’の外周に挿入可能に成形することができる。
【００２７】
盲キャップ２の外周に赤色塗装を施すことによって懐中電灯照明や薄明りによる位置確認を良好にする。
【００２８】
このように盲キャップ２を上記フランジ４に強く締付け固定してスプリンクラーヘッド１を該キャップ２内に外側からの機械的衝撃、変形等に対応して安全に養生（保持）しておくことができる。
【００２９】
尚、図２中９”は保護腕、１２は天井である。
【図面の簡単な説明】
【００３０】
【図１】本発明のスプリンクラーヘッド養生状態を示す縦断正面図である。
【図２】保護カバーの上からスプリンクラーヘッドを養生している状態を示す縦断正面図である。
【図３】（イ）図は盲キャップの斜視図、（ロ）図はウォームギアバンドの正面図、（ハ）図は（ロ）図を左方から見た側面図である。
【符号の説明】
【００３１】
１          スプリンクラーヘッド
２          盲キャップ
２’        開口端
２”        円筒壁
２ａ        底板
２ｂ        拡径部
３          スリット
Ｄ          開口端内周径
ｄ          基端フランジ外周径
４          基端フランジ
５          ウォームギアバンド
５’        ウォームギア
６          重合部
７          ウォーム
８          ウォームホールダー
９          スプリンクラーヘッド保護カバー
９’        保護カバー９のフランジ
９”        保護腕
【図１】
2006192060.tif 000003
【図２】
2006192060.tif 000004
【図３】
2006192060.tif 000005